(57)【要約】【課題】  チャンネルの特性を最適化させた基準レベルを具現できる光ディスクの再生に適用できるデータ再生装置及び方法を提供する。【解決手段】  等化器の入力信号を受信して最適のレベルを検出するチャンネル識別器及び検出された最適のレベルを利用して等化器の係数を更新する適応化プロセッサーを含むデータ再生装置及び方法。これにより、ビタービデコーダの性能を最大化できる基準レベル値を検出しつつもディスクまたはピックアップ装置の形状により発生しうるチルトなどによるノイズにも強くなる。【選択図】      図２
2005085461.tif 000002
【特許請求の範囲】
【請求項１】
ビタービデコーダを含むデータ再生装置であって、
入力信号の特定周波数を等化させる等化器と、
前記等化器の入力信号に基づいて前記ビタービデコーダの基準レベルを検出するチャンネル識別器と、
前記検出された基準レベル、前記等化器の入力信号及び出力信号に基づいて前記等化器のフィルタリング係数を決定する適応化プロセッサーとを含むことを特徴とするデータ再生装置。
【請求項２】
前記等化器はＦＩＲフィルタであることを特徴とする請求項１に記載のデータ再生装置。
【請求項３】
前記チャンネル識別器は、
既定の時間期間の間に入力された前記等化器の入力信号に基づいて前記基準レベルを検出することを特徴とする請求項１に記載のデータ再生装置。
【請求項４】
前記チャンネル識別器は、
前記等化器の入力信号と以前の基準レベル値との平均値をとることによって前記基準レベルを検出することを特徴とする請求項３に記載のデータ再生装置。
【請求項５】
前記チャンネル識別器は、
前記ビタービデコーダの出力信号から選択信号を生成する選択信号生成器と、
前記選択信号によって前記等化器の入力信号から検出されるレベルを選択するレベル選択器と、
前記選択されたレベルに対して、以前のレベル値及び選択されたレベルで入力された入力信号のレベル値に基づいて新たなレベル値を生成する平均値フィルタとを含むことを特徴とする請求項３に記載のデータ再生装置。
【請求項６】
前記選択信号生成器は、
前記ビタービデコーダの出力信号をビタービのタップ数と同じ数ほど遅延させた信号をマルチプレクスすることによって選択信号を生成することを特徴とする請求項５に記載のデータ再生装置。
【請求項７】
前記平均値フィルタは低域通過フィルタであることを特徴とする請求項５に記載のデータ再生装置。
【請求項８】
前記平均値フィルタは数式、基準レベル値＝以前レベル値＋（遅延された入力信号−以前レベル値）／定数、により基準レベルを検出することを特徴とする請求項５に記載のデータ再生装置。
【請求項９】
前記適応化プロセッサーは、
最小平均自乗方式により基準レベルを検出することを特徴とする請求項５に記載のデータ再生装置。
【請求項１０】
前記適応化プロセッサーは、
前記等化器の出力信号と検出されたレベルとの差に基づいて前記等化器の新たな係数を決定することを特徴とする請求項８に記載のデータ再生装置。
【請求項１１】
前記適応化プロセッサーは、数式Ｗｋ＋１＝Ｗｋ＋２μｅｋＸｋにより等化器の係数を決定し、ここでＷｋ＋１は等化器の新たな係数、Ｗｋは等化器の更新前の以前係数、μは追従速度、ｅｋはエラー信号＝検出されたレベル値−等化器の出力、Ｘｋは等化器の入力信号であることを特徴とする請求項９に記載のデータ再生装置。
【請求項１２】
ビタービデコード段階を含むデータ再生方法であって、
等化器を使用して入力信号の特定周波数を等化させる段階と、
前記等化器の入力信号に基づいて前記ビタービデコーダの基準レベルを検出するチャンネル識別段階と、
検出された基準レベル、前記等化器の入力信号及び出力信号に基づいて前記等化器のフィルタリング係数を決定する係数生成段階とを含むことを特徴とするデータ再生方法。
【請求項１３】
前記等化段階はＦＩＲフィルタを通じて具現されることを特徴とする請求項１２に記載のデータ再生方法。
【請求項１４】
前記チャンネル識別段階は、
既定の時間期間の間に入力された前記等化器の入力信号に基づいて前記基準レベルを検出する段階を含むことを特徴とする請求項１２に記載のデータ再生方法。
【請求項１５】
前記チャンネル識別段階は、
前記等化器の入力信号と以前の基準レベル値との平均値をとることによって前記基準レベル値を検出することを特徴とする請求項１４に記載のデータ再生方法。
【請求項１６】
前記チャンネル識別段階は、
前記ビタービデコーダの出力信号から選択信号を生成する選択信号生成段階と、
前記選択信号によって前記等化器の入力信号から検出されるレベルを選択するレベル選択段階と、
前記選択されたレベルに対して、以前のレベル値及び選択されたレベルで入力された入力信号のレベル値に基づいて新たなレベル値を生成するレベル値検出段階とを含むことを特徴とする請求項１４に記載のデータ再生方法。
【請求項１７】
前記選択信号生成段階は、
前記ビタービデコーダの出力信号をビタービデコーダのタップ数と同じ数ほど遅延させた信号をマルチプレクスすることによって選択信号を生成する段階を含むことを特徴とする請求項１６に記載のデータ再生方法。
【請求項１８】
前記レベル値検出段階は低域通過フィルタを通じて平均値をとることによって行われることを特徴とする請求項１６に記載のデータ再生方法。
【請求項１９】
前記レベル値検出段階は数式、基準レベル値＝以前レベル値＋（遅延された入力信号−以前レベル値）／定数、により基準レベルを検出する段階を含むことを特徴とする請求項１６に記載のデータ再生方法。
【請求項２０】
前記係数生成段階は、
最小平均自乗方式により基準レベルを検出する段階を含むことを特徴とする請求項１２に記載のデータ再生方法。
【請求項２１】
前記係数生成段階は、
前記等化器の出力信号と検出されたレベルとの差に基づいて前記等化器の新たな係数を決定する段階を含むことを特徴とする請求項２０に記載のデータ再生方法。
【請求項２２】
前記係数生成段階は、数式Ｗｋ＋１＝Ｗｋ＋２μｅｋＸｋにより等化器の係数を決定する段階を含み、ここでＷｋ＋１は等化器の新たな係数、Ｗｋは等化器の更新前の以前係数、μは追従速度、ｅｋはエラー信号＝検出されたレベル値−等化器の出力、Ｘｋは等化器の入力信号であることを特徴とする請求項２１に記載のデータ再生方法。
【発明の詳細な説明】
【技術分野】
【０００１】
本発明はビタービ復号化を利用したデータ再生装置及び方法に係り、より詳細にはチャンネルの特性を最適化させた基準レベルを具現できる光ディスクの再生に適用できるデータ再生装置及び方法に関する。
【背景技術】
【０００２】
光ディスクはディスク表面に２進信号を記録した後、レーザーを入射させて反射された波形を読出すことによって元来の２進信号を再生する装置である。この時、ディスク表面から読出した信号はＲＦ（無線周波数）信号と呼ばれる。ディスクから読出されたＲＦ信号はディスクの物理的特性及び光学的な特性により２進信号ではないアナログ信号の性質を持つ。したがって、アナログ信号をデジタル信号に変換せねばならず、この時に２値化過程及び位相同期ループ（フェーズロックドループ、以下、ＰＬＬ）過程が必ず必要である。２値化手段は多様であるが、その中でビタービデコーダは最もエラーの少ない２進信号を得られるデコード装置として知られている。また、ビタービデコーダはチャンネルの特性に合わせて最適の条件で２進信号を検出し、単純な信号検出回路や再生長さ訂正方式と比較して性能に優れると知られている。
【０００３】
図１は、ビタービデコーダが含まれた従来のデータ再生装置のブロック図を示す。
【０００４】
ビタービデコーダが含まれた検出器に関する説明は、特許文献１または２に詳細に説明されており、それを参照する。
【０００５】
光ディスクから読出されたアナログ信号１０１は、デジタル＿アナログ変換器１１０によりサンプル及びホールドされて量子化されたデジタル信号１０２に変換される。量子化されたデジタル信号１０２は、オフセット除去器１２０によりＤＣ成分が最適に補償される。等化器１３０は一般的にＦＩＲ（フィニートインパルスレスポンス）フィルタ１３０よりなり、遅延されて入力された各入力信号１０４を特定周波数領域で一定比ほど増幅させることによってチャンネルの特性を明らかにする。ビタービデコーダ１４０内部のブランチメトリック生成器（図示せず）では各基準レベルと実際入力された信号との差を求めることによって状態メトリックを生成するために、ビタービデコーダに入力される基準レベルはビタービデコーダの性能に重大な影響を及ぼす。しかし、ディスクの物理的特性や状況の変化によって各媒体から入力される信号に対して最適の条件を持つ基準レベルは相異なり、それにより、最適の基準レベル、すなわちビタービデコーダ１４０の性能を最高にする基準レベルを決定せねばならない課題が発生する。
【０００６】
図１の構成要素のうちレベル検出器１５０は、前述した課題を解決するために提案された方法のうち一つである。このような方法または装置は特許文献３に詳細に現れている。レベル検出器１５０はＦＩＲフィルタ１３０の出力からビタービデコーダに入力される最適の基準レベルを生成する。この装置は、ビタービ検出器で使われる決定レベルの基準値である＋／−最大レベル、＋／−中間レベルとゼロレベルを等化器の出力をモニタリングして決定した後、決定された値をビタービ検出器の決定レベルとして使用することによってデータビットのエラー率を減少させてデータ検出性能を高める。
【０００７】
しかし、このような従来のデータ再生装置は、＋／−最大レベル、＋／−中間レベルのような既定のレベルを持つ信号の選択により最適の基準レベルを選択するために、決定されたレベルにノイズが発生すればこのレベルが元来の基準レベルに対応せずに他のレベルに対応することによって間違ったレベルを適応化させる問題が生じる。一般的に光ディスクの記録密度が高まるにつれて再生される信号の品質が段々と劣化する。特に、ディスク基板またはピックアップ装置の変形などによる接線方向及び半径方向のチルトは、このような高記録密度のディスクでさらに頻繁に現れるノイズのうち一つであり、このようなノイズによる信号再生のエラー率上昇は一般的なディスク再生装置でさらに深刻な問題を引き起こす。
【特許文献１】大韓民国特許出願第２０００−５６１４９号（光記録媒体再生時の選択的外乱の補償装置及び方法）
【特許文献２】大韓民国特許出願第１９９８−４９５４２号（データ再生装置）
【特許文献３】大韓民国特許第２０００−００９６５号公報
【発明の開示】
【発明が解決しようとする課題】
【０００８】
したがって、本発明は前述した問題を解決するために提案されたものであり、多様な光ディスクの信号特性に合わせて最適に判断することによってビタービデコーダの性能を最適化させうる基準レベルを決定すると同時に接線方向チルトのようなノイズにも強いデータ再生装置及び方法を提供することを目的とする。
【課題を解決するための手段】
【０００９】
前述した目的を解決するための本発明において、ビタービデコーダを含むデータ再生装置は、入力信号の特定周波数を等化させる等化器と、前記等化器の入力信号に基づいて前記ビタービデコーダの基準レベルを検出するチャンネル識別器と、前記検出された基準レベル、前記等化器の入力信号及び出力信号に基づいて前記等化器のフィルタリング係数を決定する適応化プロセッサーとを含むことを特徴とする。
【００１０】
望ましい実施例で、前記チャンネル識別器は、既定の時間期間の間に入力された前記等化器の入力信号に基づいて前記基準レベルを検出することを特徴とする。
【００１１】
さらに他の実施例で、前記チャンネル識別器は、前記等化器の入力信号と以前の基準レベル値との平均値をとることによって前記基準レベルを検出することを特徴とする。
【００１２】
また、前記チャンネル識別器は、前記ビタービデコーダの出力信号から選択信号を生成する選択信号生成器と、前記選択信号によって前記等化器の入力信号から検出されるレベルを選択するレベル選択器と、前記選択されたレベルに対して、以前のレベル値及び選択されたレベルで入力された入力信号のレベル値に基づいて新たなレベル値を生成する平均値フィルタとを含むことを特徴とする。
【００１３】
ここで、前記選択信号生成器は、前記ビタービデコーダの出力信号をビタービのタップ数と同じ数ほど遅延させた信号をマルチプレクスすることによって選択信号を生成する。
【００１４】
また望ましい実施例で、前記平均値フィルタは数式、基準レベル値＝以前レベル値＋（遅延された入力信号−以前レベル値）／定数、により基準レベルを検出することを特徴とする。
【００１５】
望ましい実施例で、前記適応化プロセッサーは、最小平均自乗（以下、ＬＭＳ）方式により基準レベルを検出することを特徴とし、さらに詳細には、前記等化器の出力信号と検出されたレベルとの差に基づいて前記等化器の新たな係数を決定する。
【００１６】
この時、前記適応化プロセッサーは、数式Ｗｋ＋１＝Ｗｋ＋２μｅｋＸｋにより等化器の係数を決定し、ここでＷｋ＋１は等化器の新たな係数、Ｗｋは等化器の更新前の以前係数、μは追従速度、ｅｋはエラー信号＝検出されたレベル値−等化器の出力、Ｘｋは等化器の入力信号である。
【００１７】
また本発明において、ビタービデコード段階を含むデータ再生方法は、等化器を使用して入力信号の特定周波数を等化させる段階と、前記等化器の入力信号に基づいて前記ビタービデコーダの基準レベルを検出するチャンネル識別段階と、検出された基準レベル、前記等化器の入力信号及び出力信号に基づいて前記等化器のフィルタリング係数を決定する係数生成段階とを含む。
【００１８】
ここで、前記チャンネル識別段階は、前記等化器の入力信号と以前の基準レベル値との平均値をとることによって前記基準レベル値を検出する。
【００１９】
また、前記チャンネル識別段階は、前記ビタービデコーダの出力信号から選択信号を生成する選択信号生成段階と、前記選択信号によって前記等化器の入力信号から検出されるレベルを選択するレベル選択段階と、前記選択されたレベルに対して、以前のレベル値及び選択されたレベルで入力された入力信号のレベル値に基づいて新たなレベル値を生成するレベル値検出段階とを含む。
【発明の効果】
【００２０】
本発明によれば、ビタービデコーダの性能を最大化できる基準レベル値を検出しつつもディスクまたはピックアップ装置の形状により発生しうるチルトなどによるノイズにも強いデータ再生装置及び方法が提供される。
【００２１】
また本発明によれば、最適のレベルが検出されたビタービデコーダを使用することによって信号の誤動作確率を低下させ、その結果、信頼性のある光ディスク機器を製作できる。
【発明を実施するための最良の形態】
【００２２】
以下、添付された図面を参照して本発明による望ましい一実施例を詳細に説明する。
【００２３】
図２は、本発明の一実施例によるデータ再生装置を示す図である。
【００２４】
図２に示されていないデジタル＿アナログ変換器１１０、ＤＣオフセット補償器１２０及びＰＬＬ１６０部分は図１の該当部分と同一であり、ここでは等化器１３０の入力信号１０４から説明する。
【００２５】
本発明はチャンネル識別器１７０及び適応化プロセッサー１８０を持つという点で従来技術と区別される。チャンネル識別器１７０は、図１のレベル推定器１５０に対応する要素である。しかし、レベル推定器１５０の入力信号は等化器の出力信号１０５である一方、チャンネル識別器１７０の入力信号は等化器１３０の入力信号１０４及びビタービデコーダの出力信号１０６である。推定されたレベル値２０３を生成するために等化器１３０の出力信号１０５の代りに等化器の入力信号１０４を使用することは、光ディスクの再生時にチルトによる再生エラーを減少させるためである。
【００２６】
また、チャンネル識別器１７０はビタービデコーダの出力信号をレベル推定に使用する。これは推定対象を特定する選択信号を生成するためである。
【００２７】
一方、本発明は適応化プロセッサー１８０を持つという点で従来技術と区別される。適応化プロセッサー１８０はチャンネル推定器の出力信号であるレベル推定値２０３、等化器１３０の入力信号２０４及び出力信号２０５を入力信号として、更新された等化器の係数２０８を生成する。言い換えれば、等化器１３０は適応化プロセッサー１８０によりそのフィルタリング係数が適応化される。
【００２８】
以下、チャンネル識別器１７０及び適応化プロセッサー１８０の動作原理について詳細に説明する。
【００２９】
図３は、本発明によるチャンネル識別器の内部構成を示す図である。
【００３０】
チャンネル識別器１７０は選択信号生成器３３０、レベル選択器３５０及び平均値フィルタ３４０を含む。選択信号生成器３３０は、ビタービデコーダの出力信号２０３を受信して選択信号３３１を生成する。この時、ビタービデコーダ１４０の出力信号は０または１の値を持つ２進信号であり、ビタービデコーダによりデコードされた最終出力である。ビタービデコーダの動作原理によって、ビタービデコーダの出力信号はビタービデコーダの入力信号、すなわち等化器の出力信号と連関性を持ち、これは、ビタービデコーダの出力信号がビタービデコーダに入力されるレベルの種類を特定できるということを意味する。例えば、信号レベルがＰＲ（１、２、１）により生成され、コード類型が（１，７）である場合、現れうる理想的なレベル値は４、２、−２、−４である。もし、入力信号のレベルが４、４、４、２、−２、−４、−４、−４、−２、２…であれば、これによるデコーダの出力信号は１、１、１、−１、−１、−１、−１、−１、１、１…となる。この時、ビタービデコーダのタップ数ほどビタービデコーダの出力信号をマルチプレクスすれば、１１１、１１−１、１−１−１、−１−１−１、…であり、これを２進信号で表せば、１１１、１１０、１００、０００、…となる。したがって、このような２進信号はそれぞれ４、２、−２、−４、…などが入力されたことを表し、結局１１１、１１０、１００、０００、…などは４、２、−２、−４、…などのレベル値の種類を特定する選択信号として使われうる。
【００３１】
チャンネル識別器１７０に入力されたビタービデコーダの出力信号２０２は、ビタービデコーダのタップ数−１の数に該当する遅延器３６１、３６２、…により遅延されて分離されたまま選択信号生成器３３０に入力される。入力された遅延された信号３２１、３２２、…は選択信号生成器３３０により合わせられて２進信号形態の選択信号３３１を生成する。たとえば、ビタービデコーダのタップ数が３である場合、遅延器の数は２個であり、選択信号３３１の形態は１１１、１１０、１００、０００、…の形態を持つ。遅延器３６１、３６２、…を使用する理由はビタービデコーダの出力が一度に直ちに出力されるものではなく一定のシステムクロックほどの演算期間が経過した後に出力されるために、ビタービデコーダの出力信号に対応する入力信号を選択するためには演算期間に該当するほどの遅延時間がチャンネル識別器の入力信号２０２にも割当てられねばならないからである。
【００３２】
また、前記選択信号３３１は最短信号の条件によって除去可能なビタービ経路に該当する場合には除去できる。たとえば、（１，７）コードを使用する３タップ構造のビタービデコーダの場合に１Ｔに該当する０１０、１０１の選択信号３３１は除去され、可能な選択信号は０００、００１、０１１、１００、１１０、１１１と６個である。同じく５タップ構造のビタービデコーダで（１，７）コードを使用する場合には１６個のレベルのみ必要であり、選択信号も１６個の信号が発生する。正しいビタービデコーダの出力であれば、ビタービデコーダの出力信号自体に１Ｔ信号が発生しないので選択信号３３１の生成に別の構成は不要である。
【００３３】
さらに他のチャンネル識別器の入力信号は等化器の入力信号２０１である。等化器の入力信号２０１は連続した値を持つ電気的信号であり、デコード動作の対象となる信号である。この信号２０１は理想的な基準レベルと差がある実際的な値を持つ。チャンネル識別器の入力信号２０１は、ビタービデコーダのメモリ数（Ｍ）に該当する数の遅延器３１１、３１２、…を経てレベル選択器３５０に入力される。レベル選択器３５０は、入力されたチャンネル識別器の入力信号２０１を選択信号３３１に基づいて各レベルに該当する平均値フィルタ３４０に伝達する。それぞれの平均値フィルタ３４０はそれぞれのビタービデコーダのレベルに対応する。したがって、平均値フィルタ３４０の数は連結されたビタービデコーダのレベル数と同一である。やはり不要な経路は除去できる。
【００３４】
平均値フィルタ３４０は、選択された入力信号３４１、３４２、３４３、…から一定期間の間に平均値をとった後、この値を新たなレベル値３５１、３５２、３５３、…として出力する。平均値フィルタ３４０として一般的に低域通過フィルタが使われうる。この時、低域通過フィルタのＤＣ平均値を推定する性質を使用する。他の平均値フィルタ３４０の形態は次のような式（１）を使用するものである。
【００３５】
Ｌ’＝Ｌ＋（Ｉ−Ｌ）／Ｃ      （１）
ここで、Ｌ’は新たに入った入力信号により更新されたレベル値３５１、３５２、…、Ｌは以前のレベル値、Ｉは遅延された入力信号３５１、３５２、…、及びＣは定数である。定数Ｃの値を増加させるほど更新されるレベルＬ’は変わる程度が少ないために追従の程度は減少する。
【００３６】
再び図３を参照すれば、検出された新たなレベル３５１、３５２、…は適応化プロセッサー１８０に入力される。適応化プロセッサー１８０は検出されたレベルエラーに基づいて新たな等化器の係数２０８を生成する。検出されるレベルエラーとは、等化器の出力信号２０５と検出されたレベル２０８との差をいう。新たな等化器の係数２０８は、ＬＭＳ方法を使用して以前の係数を更新する方法を使用する。本発明の一実施例として使われる式（２）は次の通りである。
【００３７】
Ｗｋ＋１＝Ｗｋ＋２μｅｋＸｋ      （２）
ここで、Ｗｋ＋１は等化器の新たな係数２０８、Ｗｋは等化器の以前係数、μは追従速度（実数）、ｅｋはエラー信号として検出されたレベル値２０８から等化器の出力信号２０５を減算した値、Ｘｋは等化器の入力信号２０４を表す。
【００３８】
図３に示されたように、等化器の入力信号Ｘｋ ２０４は遅延器１９０により遅延された後に適応化プロセッサー１８０に入力される。これは、適応化プロセッサー１８０がレベルエラーｅｋを求めるのに一定クロックほど遅延されるからである。同様に、等化器の出力信号２０５は、遅延器２００により一定時間遅延された後に適応化プロセッサー１８０に入力される。これは、適応化プロセッサー１８０が新たなレベルを検出するに当って時間遅延があるからである。
【００３９】
追従速度μは追従の程度を決定するパラメータであって、マイコンやその他の制御手段により調整可能である。追従速度μの値が大きいほどレベル追従の程度は増加する。ただし安定度の範囲内でなければならず、そうでない場合には発散して不安定になる。
【００４０】
本発明で提示する適応化プロセッサー１８０はチャンネルを安定化させるために使われる。これは、従来の適応化プロセッサーがビタービデコーダに適したレベル値を生成するために使われるものと区別される。従来の適応化プロセッサーはビタービデコーダのレベルを特定値に固定させ、適応化プロセッサーを通じて等化器の入力信号をビタービデコーダのレベルに最も適した値に変化させた。しかし、本発明ではチャンネル識別器１７０が、等化器の入力信号２０１に基づいてビタービデコーダの最適レベルを生成する。また、適応化プロセッサーは、分析された最適のレベルを利用して等化器、すなわち、フィルタの係数を再調整することによって等化器の出力信号から、元来チャンネルの周波数特性はほぼそのまま維持しつつノイズだけ除去する。これにより、以前に問題となったＬＭＳアルゴリズムの係数安定化や発散問題に対してさらに高い安定性を付与できる。
【００４１】
図４は、本件（１，７）コード用の５タップビタービデコーダのトレリスダイアグラムであり、図５は、図４のビタービデコーダに本発明を動作させた場合のレベル推定結果を示す図である。
【００４２】
図４を参照すれば、１Ｔ信号が入る場合の経路は除去されたことが分かる。したがって、経路の数は総１６個であり、それによりレベルの数も１６個となる。
【００４３】
図５を参照すれば、１６個の理想的レベル０００００、００００１、０００１１、００１１０、００１１１、…が現れている。また、チャンネル識別器に入力される信号２０１は３９、３７、−１８、−６８、…であり、この時、選択信号は１１１００、１１０００、１００００、０００００、００００１、…であり、選択信号の数はレベルの数と同一である。選択信号によって現在演算されているレベルを選択すれば、選択されたレベル信号は４７（１１１００の場合）、２７（１１０００の場合）、−２２（１００００の場合）、−６３（１００００）…のように選択される。すなわち、選択されたレベル信号は入力信号とかなり類似していることが分かる。また、前述した式（１）により、レベル別に遅延されたチャンネル識別器の入力信号の平均値をとれば、最も理想的なレベル値が得られることが分かる。
【００４４】
図６及び図７は、本発明を使用した場合の再生時に２種のチルトによる信号エラー率（以下、ＳＥＲ）の程度を示す図である。本発明で提示した装置を使用して２３Ｇのディスクに３３Ｇのデータを記録した後、これを再生した時のいろいろなチルト角に対するＳＥＲを示す。
【００４５】
図６は、接線方向チルト時のＳＥＲを示す。これを参照すれば、本発明による適応化プロセッサーを使用した場合、ＳＥＲ  ５２０は従来の５タップビタービデコーダを使用した場合のＳＥＲ  ５１０よりだいぶ減少しており、このような効果はチルト角が増加するほどさらに明らかになる。図７は、半径方向チルト時のＳＥＲを表し、接線方向のチルト時のように顕著な効果はもたらさないが、本発明によるＳＥＲ  ７２０は図１の装置のＳＥＲ  ７１０より多少低下したことが分かる。
【００４６】
図８は、図２のデータ再生装置を使用する本発明の一実施例による記録装置のブロック図である。図８を参照すれば、記録装置は記録／再生部１００１、制御部１００２、及びメモリ１００３を含む。記録／再生部１００１はディスク１０００に／からデータを記録／再生する。制御部１００２は図２及び３に示されたような本発明に基づいてデータを記録／再生する。
【００４７】
今まで本発明についてその望ましい実施例を中心に説明した。当業者ならば、本発明が本発明の趣旨を逸脱しない範囲で変形された形態に具現されうることを理解できる。したがって、開示された実施例は限定的な観点ではなく説明的な観点で考慮されねばならない。本発明の範囲は前述した説明ではなく特許請求の範囲に現れており、それと同等な範囲内にあるあらゆる差異点は本発明に含まれたものと解釈されねばならない。
【産業上の利用可能性】
【００４８】
本発明は、ビタービデコーダを使用するデータ再生装置に利用できる。
【図面の簡単な説明】
【００４９】
【図１】ビタービデコーダが含まれた従来のデータ再生装置のブロック図である。
【図２】本発明の一実施例によるデータ再生装置を示す図である。
【図３】本発明によるチャンネル識別器の内部構成を示す図である。
【図４】本件（１，７）コードが使われた５タップビタービデコーダのトレリスダイアグラムである。
【図５】図４のビタービデコーダに本発明を動作させた場合のレベル推定結果を示す図面である。
【図６】本発明を使用した場合の再生時に２種のチルトによるＳＥＲの程度を示す図である。
【図７】本発明を使用した場合の再生時に２種のチルトによるＳＥＲの程度を示す図である。
【図８】本発明を使用した場合の再生時に２種のチルトによるＳＥＲの程度を示す図である。
【符号の説明】
【００５０】
１０４  等化器の入力信号
１０５  等化器の出力信号
１０６  ビタービデコーダの出力信号
１３０  等化器
１４０  ビタービデコーダ
１７０  チャンネル識別器
１８０  適応化プロセッサー
１９０、２００  遅延器
２０１、２０２  チャンネル識別器の入力信号
２０３  レベル推定値
２０４  等化器の入力信号
２０８  等化器の係数
【図１】
2005085461.tif 000003
【図２】
2005085461.tif 000004
【図３】
2005085461.tif 000005
【図４】
2005085461.tif 000006
【図６】
2005085461.tif 000007
【図７】
2005085461.tif 000008
【図８】
2005085461.tif 000009
【図５】
2005085461.tif 000010